(57)【要約】  非有効表示エリアのセルピッチを有効表示エリアのセルピッチより小さくすることで、非有効表示エリアを狭くする。  一対の基板が対向して配置され、少なくとも一方の基板の内面に一定方向に延長して複数の電極が形成され、隣接する電極間で面放電を発生させることで表示画面を構成するプラズマディスプレイパネルにおいて、表示画面を、画面の中央部に形成された有効表示エリアと、その有効表示エリアの外側に有効表示エリアに隣接して形成された非有効表示エリアとで構成し、非有効表示エリアの電極のピッチを、有効表示エリアの電極のピッチよりも小さくする。【特許請求の範囲】
【請求項１】
一対の基板が対向して配置され、少なくとも一方の基板の内面に一定方向に延長して複数の電極が形成され、隣接する電極間で面放電を発生させることで表示画面を構成するプラズマディスプレイパネルであって、
前記表示画面は、画面の中央部に形成された有効表示エリアと、その有効表示エリアの外側に有効表示エリアに隣接して形成された非有効表示エリアとを有し、
非有効表示エリアの電極のピッチが、有効表示エリアの電極のピッチよりも小さいことを特徴とするプラズマディスプレイパネル。
【請求項２】
一対の基板が対向して配置され、一方の基板の内面に一定方向に延長して複数の主電極が形成され、他方の基板の内面に前記複数の主電極と交差する方向に複数のアドレス電極が形成され、隣接する主電極間で面放電を発生させることで表示画面を構成するプラズマディスプレイパネルであって、
前記表示画面は、画面の中央部に形成された有効表示エリアと、その有効表示エリアの外側に有効表示エリアに隣接して形成された非有効表示エリアとを有し、
非有効表示エリアの主電極のピッチが、有効表示エリアの主電極のピッチよりも小さいことを特徴とするプラズマディスプレイパネル。
【請求項３】
非有効表示エリアのアドレス電極のピッチが、有効表示エリアのアドレス電極のピッチよりも小さいことを特徴とする請求項２記載のプラズマディスプレイパネル。
【請求項４】
他方の基板のアドレス電極とアドレス電極との間に隔壁が形成され、非有効表示エリアのアドレス電極のピッチが、有効表示エリアのアドレス電極のピッチよりも小さく、かつ非有効表示エリアの隔壁のピッチが、有効表示エリアの隔壁のピッチよりも小さいことを特徴とする請求項２記載のプラズマディスプレイパネル。
【請求項５】
非有効表示エリアの主電極の幅が有効表示エリアの主電極よりも狭く、それによって、非有効表示エリアの主電極間の面放電ギャップが、有効表示エリアの主電極間の面放電ギャップとほぼ等しいことを特徴とする請求項２記載のプラズマディスプレイパネル。
【発明の詳細な説明】
【技術分野】
【０００１】
本発明は、プラズマディスプレイパネル（ＰＤＰ）に関し、さらに詳しくは、面放電型ＰＤＰの電極構造に関する。近年のプラズマディスプレイパネルは、カラー化の開発によりテレビ表示が可能となり、大型フラットパネルディスプレイ実現デバイスの最有力候補として注目されている。
【背景技術】
【０００２】
従来のＰＤＰとして、ＡＣ駆動型の３電極面放電型ＰＤＰが知られている。このＰＤＰは、一方の基板（例えば前面側または表示面側の基板）の内面に面放電が可能な表示電極を水平方向に多数設け、他方の基板（例えば背面側の基板）の内面に発光セル選択用のアドレス電極を表示電極と交差する方向に多数設け、表示電極とアドレス電極との交差部を１つのセル（単位発光領域）とするものである。１画素は、赤色（Ｒ）セルと、緑色（Ｇ）セルと、青色（Ｂ）セルとの３つのセルで構成される。【０００３】
前面側の基板の表示電極は誘電体層で覆われている。背面側の基板のアドレス電極も誘電体層で覆われ、アドレス電極とアドレス電極との間には隔壁が形成され、Ｒセル、Ｇセル、Ｂセルの各対応領域の隔壁間には、それぞれＲ用、Ｇ用、Ｂ用の蛍光体層が形成されている。【０００４】
ＰＤＰは、このように作製した前面側の基板と背面側の基板とを対向させて周辺を封止した後、内部に放電ガスを封入することにより製造されている（特許文献１参照）。
【特許文献１】特開平１０−２４１５７１号公報
【発明の開示】
【発明が解決しようとする課題】
【０００５】
このような面放電型のＰＤＰは、セル構成として、画面の中央部に有効表示エリアが設けられ、その有効表示エリアの外側に隣接して非有効表示エリアが設けられている。この非有効表示エリアは有効表示エリアの外周セルの放電を安定に動作させるために設けられる。この非有効表示エリアはセットとしての額縁（筐体枠）の幅に直結している。近年、この筐体枠の幅はできるだけ狭いものが望まれており、そのため非有効表示エリアをできる限り狭くすることが必要となっている。【０００６】
本発明は、このような事情を考慮してなされたもので、非有効表示エリアのセルピッチを有効表示エリアのセルピッチより小さくすることで、非有効表示エリアを狭くするものである。
【課題を解決するための手段】
【０００７】
本発明は、一対の基板が対向して配置され、少なくとも一方の基板の内面に一定方向に延長して複数の電極が形成され、隣接する電極間で面放電を発生させることで表示画面を構成するプラズマディスプレイパネルであって、前記表示画面は、画面の中央部に形成された有効表示エリアと、その有効表示エリアの外側に有効表示エリアに隣接して形成された非有効表示エリアとを有し、非有効表示エリアの電極のピッチが、有効表示エリアの電極のピッチよりも小さいことを特徴とするプラズマディスプレイパネルである。
【発明の効果】
【０００８】
本発明によれば、有効表示エリアの外周セルの放電の安定化を図りつつ、非有効表示エリアを極力小さくすることが可能となる。
【図面の簡単な説明】
【０００９】
【図１】本発明のＰＤＰの構成を示す説明図である。
【図２】本発明のＰＤＰを平面的に見た状態を示す説明図である。
【図３】図２のＰＤＰの放電状態を示す説明図である。
【図４】非有効表示エリアのセルピッチが有効表示エリアのセルピッチと等しい場合の電極構造を示す比較例である。
【図５】非有効表示エリアのセルピッチが有効表示エリアのセルピッチと等しい場合の電極構造を示す比較例である。
【符号の説明】
【００１０】
１１  前面側の基板
１２  透明電極
１３  バス電極
１７，２４  誘電体層
１９  保護膜
２１  背面側の基板
２８Ｒ，２８Ｇ，２８Ｂ  蛍光体層
２９  隔壁
Ａ  アドレス電極
Ｌ  表示ライン
Ｘ，Ｙ  表示電極
【発明を実施するための最良の形態】
【００１１】
本発明において、一対の基板としては、ガラス、石英、セラミックス等の基板や、これらの基板上に、電極、絶縁膜、誘電体層、保護膜等の所望の構成物を形成した基板が含まれる。【００１２】
電極は、少なくとも一方の基板の内面に一定方向に延長して複数本形成されたものであればよい。そして、隣接する電極間で面放電を発生させることで表示画面が構成されるものであればよい。この電極は、当該分野で公知の各種の材料と方法を用いて形成することができる。電極に用いられる材料としては、例えば、ＩＴＯ、ＳｎＯ2などの透明な導電性材料や、Ａｇ、Ａｕ、Ａｌ、Ｃｕ、Ｃｒなどの金属の導電性材料が挙げられる。電極の形成方法としては、当該分野で公知の各種の方法を適用することができる。たとえば、印刷などの厚膜形成技術を用いて形成してもよいし、物理的堆積法または化学的堆積法からなる薄膜形成技術を用いて形成してもよい。厚膜形成技術としては、スクリーン印刷法などが挙げられる。薄膜形成技術の内、物理的堆積法としては、蒸着法やスパッタ法などが挙げられる。化学的堆積方法としては、熱ＣＶＤ法や光ＣＶＤ法、あるいはプラズマＣＶＤ法などが挙げられる。【００１３】
本発明においては、前記表示画面は、画面の中央部に形成された有効表示エリアと、その有効表示エリアの外側に有効表示エリアに隣接して形成された非有効表示エリアとを有する。有効表示エリアとは、面放電が発生されて実際の画面が表示されるエリアであり、非有効表示エリアとは、面放電用の電圧は印加されるが、面放電は発生されず、黒画面の表示のみが行われるエリアである。【００１４】
本発明は、一対の基板が対向して配置され、一方の基板の内面に一定方向に延長して複数の主電極が形成され、他方の基板の内面に複数の主電極と交差する方向に複数のアドレス電極が形成され、隣接する主電極間で面放電を発生させることで表示画面を構成するプラズマディスプレイパネルに主として適用される。この構成の場合、非有効表示エリアの主電極のピッチが、有効表示エリアの主電極のピッチよりも小さく形成されていればよい。【００１５】
上記構成のプラズマディスプレイパネルである場合、非有効表示エリアのアドレス電極のピッチが、有効表示エリアのアドレス電極のピッチよりも小さい構成であってもよい。【００１６】
また、他方の基板のアドレス電極とアドレス電極との間に隔壁が形成され、非有効表示エリアのアドレス電極のピッチが、有効表示エリアのアドレス電極のピッチよりも小さく、かつ非有効表示エリアの隔壁のピッチが、有効表示エリアの隔壁のピッチよりも小さい構成であってもよい。【００１７】
この構成のプラズマディスプレイパネルである場合、非有効表示エリアの主電極の幅が有効表示エリアの主電極よりも狭く、それによって、非有効表示エリアの主電極間の面放電ギャップが、有効表示エリアの主電極間の面放電ギャップとほぼ等しくなるような構成であることが望ましい。【００１８】
以下、図面に示す実施の形態に基づいて本発明を詳述する。なお、本発明はこれによって限定されるものではなく、各種の変形が可能である。【００１９】
図１（ａ）および図１（ｂ）は本発明のＰＤＰの構成を示す説明図である。図１（ａ）は全体図、図１（ｂ）は部分分解斜視図である。このＰＤＰはカラー表示用のＡＣ駆動型の３電極面放電型ＰＤＰである。【００２０】
本ＰＤＰ１０は、前面側の基板１１と背面側の基板２１から構成されている。前面側の基板１１と背面側の基板２１としては、ガラス基板、石英基板、セラミック基板等を使用することができる。【００２１】
前面側の基板１１の内側面には、水平方向に表示電極Ｘと表示電極Ｙが等間隔に配置されている。隣接する表示電極Ｘと表示電極Ｙとの間が全て表示ラインＬとなる。各表示電極Ｘ，Ｙは、ＩＴＯ、ＳｎＯ2などの幅の広い透明電極１２と、例えばＡｇ、Ａｕ、Ａｌ、Ｃｕ、Ｃｒ及びそれらの積層体（例えばＣｒ／Ｃｕ／Ｃｒの積層構造）等からなる金属製の幅の狭いバス電極１３から構成されている。表示電極Ｘ，Ｙは、Ａｇ、Ａｕについてはスクリーン印刷のような厚膜形成技術を用い、その他については蒸着法、スパッタ法等の薄膜形成技術とエッチング技術を用いることにより、所望の本数、厚さ、幅及び間隔で形成することができる。【００２２】
なお、本ＰＤＰでは、表示電極Ｘと表示電極Ｙが等間隔に配置され、隣接する表示電極Ｘと表示電極Ｙとの間が全て表示ラインＬとなる、いわゆるＡＬｉＳ構造のＰＤＰとなっているが、対となる表示電極Ｘ，Ｙが放電の発生しない間隔（非放電ギャップ）を隔てて配置された構造のＰＤＰであっても、本発明を適用することができる。【００２３】
表示電極Ｘ，Ｙの上には、表示電極Ｘ，Ｙを覆うように交流（ＡＣ）駆動用の誘電体層１７が形成されている。誘電体層１７は、低融点ガラスペーストを、前面側の基板１１上にスクリーン印刷法で塗布し、焼成することにより形成している。誘電体層１７は、プラズマＣＶＤ法でＳｉＯ2膜を成膜することにより形成してもよい。【００２４】
誘電体層１７の上には、表示の際の放電により生じるイオンの衝突による損傷から誘電体層１７を保護するための保護膜１８が形成されている。この保護膜はＭｇＯで形成されている。保護膜は、電子ビーム蒸着法やスパッタ法のような、当該分野で公知の薄膜形成プロセスによって形成することができる。【００２５】
背面側の基板２１の内側面には、平面的にみて表示電極Ｘ，Ｙと交差する方向に複数のアドレス電極Ａが形成され、そのアドレス電極Ａを覆って誘電体層２４が形成されている。アドレス電極Ａは、Ｙ電極との交差部で発光セルを選択するためのアドレス放電を発生させるものであり、Ｃｒ／Ｃｕ／Ｃｒの３層構造で形成されている。このアドレス電極Ａは、その他に、例えばＡｇ、Ａｕ、Ａｌ、Ｃｕ、Ｃｒ等で形成することもできる。アドレス電極Ａも、表示電極Ｘ，Ｙと同様に、Ａｇ、Ａｕについてはスクリーン印刷のような厚膜形成技術を用い、その他については蒸着法、スパッタ法等の薄膜形成技術とエッチング技術を用いることにより、所望の本数、厚さ、幅及び間隔で形成することができる。誘電体層２４は、誘電体層１７と同じ材料、同じ方法を用いて形成することができる。【００２６】
隣接するアドレス電極Ａとアドレス電極Ａとの間の誘電体層２４上には、ストライプ状の複数の隔壁２９が形成されている。隔壁２９の形状はこれに限定されず、放電空間をセルごとに区画するメッシュ状であってもよい。隔壁２９は、サンドブラスト法、印刷法、フォトエッチング法等により形成することができる。例えば、サンドブラスト法では、低融点ガラスフリット、バインダー樹脂、溶媒等からなるガラスペーストを誘電体層２４上に塗布して乾燥させた後、そのガラスペースト層上に隔壁パターンの開口を有する切削マスクを設けた状態で切削粒子を吹きつけて、マスクの開口に露出したガラスペースト層を切削し、さらに焼成することにより形成する。また、フォトエッチング法では、切削粒子で切削することに代えて、バインダー樹脂に感光性の樹脂を使用し、マスクを用いた露光及び現像の後、焼成することにより形成する。【００２７】
隔壁２９の側面及び隔壁間の誘電体層２４上には、赤（Ｒ）、緑（Ｇ）、青（Ｂ）の蛍光体層２８Ｒ，２８Ｇ，２８Ｂが形成されている。蛍光体層２８Ｒ，２８Ｇ，２８Ｂは、蛍光体粉末とバインダー樹脂と溶媒とを含む蛍光体ペーストを隔壁２９間の凹溝状の放電空間内にスクリーン印刷、又はディスペンサーを用いた方法などで塗布し、これを各色毎に繰り返した後、焼成することにより形成している。この蛍光体層２８Ｒ，２８Ｇ，２８Ｂは、蛍光体粉末と感光性材料とバインダー樹脂とを含むシート状の蛍光体層材料（いわゆるグリーンシート）を使用し、フォトリソグラフィー技術で形成することもできる。この場合、所望の色のシートを基板上の表示領域全面に貼り付けて、露光、現像を行い、これを各色毎に繰り返すことで、対応する隔壁間に各色の蛍光体層を形成することができる。【００２８】
ＰＤＰは、上記した前面側の基板１１と背面側の基板２１とを、表示電極Ｘ，Ｙとアドレス電極Ａとが交差するように対向配置し、周囲を封止し、隔壁２９で囲まれた放電空間３０にＸｅとＮｅとを混合した放電ガスを充填することにより作製されている。このＰＤＰでは、表示電極Ｘ，Ｙとアドレス電極Ａとの交差部の放電空間３０が、表示の最小単位である１つのセル（単位発光領域）となる。１画素はＲ、Ｇ、Ｂの３つのセルで構成される。【００２９】
表示は、まず、全ての表示電極Ｘ，Ｙ間にリセット電圧を印加してリセット放電を発生させ（この期間は一般にリセット期間と呼ばれる）、各セルの帯電状態を均一にしておく。その後、表示電極Ｙに走査電圧を順次印加し、その間に所望のアドレス電極Ａに電圧を印加することで、表示電極Ｙとアドレス電極Ａとの交差部で選択放電を発生させて発光セルを選択し（この期間は一般にアドレス期間と呼ばれる）、その発光に伴ってセルの表示電極Ｙ上に形成された壁電荷を利用して、表示電極Ｘと表示電極Ｙとの間で表示放電を発生させる（この期間は一般に表示期間と呼ばれる）ことで行う。選択放電は、上下方向に対向するアドレス電極Ａと表示電極Ｙとの間の対向放電であり、表示放電は、平面上に平行に配置された表示電極Ｘ，Ｙ間の面放電である。【００３０】
図２はＰＤＰを平面的に見た状態を示す説明図、図３は図２のＰＤＰの放電状態を示す説明図である。【００３１】
これらの図はパネルの右上の部分を示している。パネルの中央部分には有効表示エリア３１が設けられ、有効表示エリア３１の外側には、有効表示エリア３１に隣接して、非有効表示エリア３２が設けられている。有効表示エリア３１は点線で示している。非有効表示エリア３２の外枠は一点鎖線で示している。非有効エリア３２の一点鎖線の外側には、表示電極Ｘ，Ｙとアドレス電極Ａの引き出し電極部分が存在するが、図では省略している。【００３２】
これらの図に示すように、ＰＤＰでは、有効表示エリア３１の外周セルの放電を安定に動作させるために、非有効表示エリア３２にも、有効表示エリア３１と同様のセルが形成されている。【００３３】
非有効表示エリア３２のセルに対しては、アドレス期間において、表示電極Ｙに走査電圧が印加されるが、アドレス電極Ａに対して電圧は印加されず、このため非有効表示エリア３２では選択放電は発生されない。したがって、その後の表示期間においては、表示電極Ｘ，Ｙに表示電圧が印加されても、非有効表示エリア３２のセルは発光しない。このように、非有効表示エリア３２のセルは、選択放電を発生させず、黒表示を行うようにしている。【００３４】
有効表示エリア３１の表示電極Ｘ，ＹのピッチをＳ１、非有効表示エリア３２の表示電極Ｘ，ＹのピッチをＳ２とすると、電極ピッチＳ１と電極ピッチＳ２の関係は、Ｓ１＞Ｓ２となっている。【００３５】
また、有効表示エリア３１のアドレス電極ＡのピッチをＰ１、非有効表示エリア３２のアドレス電極ＡのピッチをＰ２とすると、電極ピッチＰ１と電極ピッチＰ２の関係は、Ｐ１＞Ｐ２となっている。【００３６】
隔壁２９のピッチはアドレス電極Ａのピッチと同様であり、有効表示エリア３１の隔壁２９のピッチをＲ１、非有効表示エリア３２の隔壁２９のピッチをＲ２とすると、隔壁ピッチＲ１と隔壁ピッチＲ２の関係は、Ｒ１＞Ｒ２となっている。【００３７】
非有効表示エリア３２のセルも、リセット放電による発光を伴うため（図３参照）、非有効表示エリア３２のセルの放電開始電圧を、有効表示エリア３１のセルとほぼ等しくさせるために、非有効表示エリア３２の表示電極Ｘ，Ｙ間の距離（放電ギャップ）を有効表示エリア３１の放電ギャップと等しくしておくことが望ましい。【００３８】
有効表示エリア３１の放電ギャップと非有効表示エリア３２の放電ギャップを等しくするためには、非有効表示エリア３２の表示電極Ｘ，Ｙについては、電極幅を狭くする必要がある。このため、非有効表示エリア３２の表示電極Ｘ，Ｙは、バス電極だけで構成してもよい。【００３９】
非有効表示エリア３２のアドレス電極Ａについては、電極の幅を有効表示エリア３１のアドレス電極Ａよりも狭くする。非有効表示エリア３２の隔壁２９についても、隔壁の幅を有効表示エリア３１の隔壁２９よりも狭くする。【００４０】
図４および図５は比較例であり、非有効表示エリア３２のセルピッチと有効表示エリア３１のセルピッチが等しい場合の電極構造を示している。図４は図２対応図、図５は図３対応図である。【００４１】
図４および図５の電極構造では、有効表示エリア３１の表示電極Ｘ，ＹのピッチをＳ１、非有効表示エリア３２の表示電極Ｘ，ＹのピッチをＳ２とすると、電極ピッチＳ１と電極ピッチＳ２の関係は、Ｓ１＝Ｓ２である。【００４２】
また、有効表示エリア３１のアドレス電極ＡのピッチをＰ１、非有効表示エリア３２のアドレス電極ＡのピッチをＰ２とすると、電極ピッチＰ１と電極ピッチＰ２の関係は、Ｐ１＝Ｐ２である。【００４３】
隔壁２９のピッチはアドレス電極Ａのピッチと同様であり、有効表示エリア３１の隔壁２９のピッチをＲ１、非有効表示エリア３２の隔壁２９のピッチをＲ２とすると、隔壁ピッチＲ１と隔壁ピッチＲ２の関係は、Ｒ１＝Ｒ２である。このように、非有効表示エリア３２のセルピッチと有効表示エリア３１のセルピッチが等しい電極構造となっている。【００４４】
図４を図２と比較した場合、図２では斜線部分が狭くなっている。同様に、図５を図３と比較した場合、図３では斜線部分が狭くなっている。【００４５】
このように、非有効表示エリア３２の表示電極Ｘ，ＹのピッチＳ２とアドレス電極ＡのピッチＰ２を、有効表示エリア３１の表示電極Ｘ，ＹのピッチＳ１とアドレス電極ＡのピッチＰ１より小さくする。つまり、非有効表示エリア３２のセルピッチを有効表示エリア３１のセルピッチよりも小さくする。これにより、非有効表示エリア３２の面積を小さくし、表示パネルの額縁の幅を狭くする。セルピッチを小さくしても、非有効表示エリア３２については、従来と同様に黒表示を行うので、有効表示エリア３１の外周セルも安定した放電を行うことができる。
【図１】
2007026424.tif 000002
【図２】
2007026424.tif 000003
【図３】
2007026424.tif 000004
【図４】
2007026424.tif 000005
【図５】
2007026424.tif 000006
【国際調査報告】
2007026424.tif 000007
2007026424.tif 000008
2007026424.tif 000009